(57)【要約】【課題】  簡単な手順で、自身の撮影した画像のみを外部ストレージ装置に転送する。【解決手段】  撮像装置（１０）と外部ストレージ装置（５０）は、通信装置（３４，５４）を介して相互に通信する。撮像装置（１０）は、レリーズボタン（１２）に組み込んだ指紋センサ（１４）により、撮影と同時に撮影者の指紋を検出し、撮影画像と指紋を関連付けて記憶する。外部ストレージ装置（５０）は、画像取得スイッチ（５６）の操作と同時に指紋センサ（５８）により操作者の指紋を読み取り、その指紋画像を付けた送信要求を撮像装置（１０）に送信する。撮像装置（１０）は、外部ストレージ装置（５０）からの送信要求に付属する指紋に合致する指紋が関連する撮影画像を抽出して、外部ストレージ装置（５０）に送信する。【選択図】  図１
2011109291.tif 000002
【特許請求の範囲】
【請求項１】
被写体を撮像し、前記被写体を含む撮影画像データを生成する撮像部と、
前記撮影画像の撮影者を示す撮影者識別情報を入力する手段と、
前記撮影画像データ及び前記撮影者識別情報を互いに関連付けて記憶する記憶手段と、
外部ストレージ装置と通信する通信手段と、
前記外部ストレージ装置からの識別情報と送信要求に応じて、前記識別情報と合致する前記撮影者識別情報が関連する前記撮影画像データを抽出し、前記通信手段を介して前記外部ストレージ装置に送信する制御手段
とを具備することを特徴とする撮像装置。
【請求項２】
前記撮影者識別情報を入力する手段は、前記撮影者の指紋を検出する指紋センサを有することを特徴とする請求項１に記載の撮像装置。
【請求項３】
撮影画像に撮影者を示す撮影者識別情報を関連付けて記録する撮像装置から、特定の撮影者識別情報が関連付けられた撮影画像を読み込み、記録する外部ストレージ装置であって、
識別情報を入力する手段と、
入力された前記識別情報と送信要求を前記撮像装置に送信する手段と、
前記送信要求に応じて前記撮像装置から送信された前記撮影画像を記録媒体に記録する記録手段
とを有することを特徴とする外部ストレージ装置。
【請求項４】
撮像装置と、前記撮像装置からの撮影画像を記録する外部ストレージ装置とからなる画像転送システムであって、
前記撮像装置が、
被写体を撮像し、前記被写体を含む撮影画像データを生成する撮像部と、
前記撮影画像の撮影者を示す撮影者識別情報を入力する手段と、
前記撮影画像データ及び前記撮影者識別情報を互いに関連付けて記憶する記憶手段と、
前記外部ストレージ装置と通信する通信手段と、
前記外部ストレージ装置からの識別情報と送信要求に応じて、前記識別情報と合致する前記撮影者識別情報が関連する前記撮影画像データを抽出し、前記通信手段を介して前記外部ストレージ装置に送信する制御手段
とを有し、
前記外部ストレージ装置が、
識別情報を入力する手段と、
入力された前記識別情報と送信要求を前記撮像装置に送信する手段と、
前記送信要求に応じて前記撮像装置から送信された前記撮影画像を記録媒体に記録する記録手段
とを有することを特徴とする画像転送システム。
【請求項５】
撮像装置から外部ストレージ装置に撮影画像を転送する画像転送方法であって、
前記撮像装置において、被写体を撮像させ、前記被写体を含む撮影画像データを生成するステップと、
前記撮像装置において、前記撮影画像の撮影者を示す撮影者識別情報を入力するステップと、
前記撮像装置において、前記撮影画像データ及び前記撮影者識別情報を互いに関連付けて記憶するステップと、
前記外部ストレージ装置において、識別情報を入力するステップと、
前記外部ストレージ装置において、前記ステップで入力される前記識別情報と送信要求を前記撮像装置に送信するステップと、
前記撮像装置において、前記外部ストレージ装置からの前記識別情報と前記送信要求を受信するステップと、
前記撮像装置において、前記送信要求に応じて、前記識別情報と合致する前記撮影者識別情報が関連する前記撮影画像データを抽出し、前記外部ストレージ装置に送信するステップと、
前記外部ストレージ装置において、前記撮像装置から送信された前記撮影画像を記録媒体に記録するステップ
とを有することを特徴とする画像転送方法。
【請求項６】
撮像装置に、被写体を撮像させ、前記被写体を含む撮影画像データを生成させる機能と、
撮像装置に、前記撮影画像の撮影者を示す撮影者識別情報を入力させる機能と、
撮像装置に、前記撮影画像データ及び前記撮影者識別情報を互いに関連付けて記憶させる機能と、
撮像装置に、外部ストレージ装置からの識別情報と送信要求に応じて、前記識別情報と合致する前記撮影者識別情報が関連する前記撮影画像データを抽出させ、前記外部ストレージ装置に送信させる機能
とを実現することを特徴とする撮像装置の制御プログラム。
【請求項７】
撮影画像に撮影者を示す撮影者識別情報を関連付けて記録する撮像装置から、特定の撮影者識別情報が関連付けられた撮影画像を読み込み、記録する外部ストレージ装置の制御プログラムであって、
前記外部ストレージ装置に、識別情報を入力させる機能と、
前記外部ストレージ装置に、入力された前記識別情報と送信要求を前記撮像装置に送信させる機能と、
前記外部ストレージ装置に、前記送信要求に応じて前記撮像装置から送信された前記撮影画像を記録媒体に記録させる機能
とを実現することを特徴とする外部ストレージ装置の制御プログラム。
【請求項８】
撮像装置から外部ストレージ装置への撮影画像の転送を制御する画像転送制御プログラムであって、
前記撮像装置に、被写体を撮像させ、前記被写体を含む撮影画像データを生成させる機能と、
前記撮像装置に、前記撮影画像の撮影者を示す撮影者識別情報を入力させる機能と、
前記撮像装置に、前記撮影画像データ及び前記撮影者識別情報を互いに関連付けて記憶させる機能と、
前記外部ストレージ装置に、識別情報を入力させる機能と、
前記外部ストレージ装置に、入力された前記識別情報と送信要求を前記撮像装置に送信させる機能と、
前記撮像装置に、前記外部ストレージ装置からの前記識別情報と前記送信要求を受信させる機能と、
前記撮像装置に、前記送信要求に応じて、前記識別情報と合致する前記撮影者識別情報が関連する前記撮影画像データを抽出させ、前記外部ストレージ装置に送信させる機能と、
前記外部ストレージ装置に、前記撮像装置から送信された前記撮影画像を記録媒体に記録させる機能
とを実現することを特徴とする画像転送制御プログラム。
【請求項９】
請求項６に記載のプログラムを読み出し可能に記憶することを特徴とする記憶媒体。
【請求項１０】
請求項７に記載のプログラムを読み出し可能に記憶することを特徴とする記憶媒体。
【請求項１１】
請求項８に記載のプログラムを読み出し可能に記憶することを特徴とする記憶媒体。
【発明の詳細な説明】
【技術分野】
【０００１】
本発明は、撮像装置、外部ストレージ装置、画像転送システム、これらの制御方法及びプログラム、並びに記録媒体に関する。
【背景技術】
【０００２】
【先行技術文献】
【特許文献】
【０００３】
【特許文献１】特開２００７−０２８５９５号公報
【０００４】
従来、デジタルスチルカメラ等のデジタル撮像装置で撮影した撮影画像データを保存及び整理する手段として、パーソナルコンピュータ（以下、ＰＣという）がある。撮像装置からＰＣに撮影画像を転送するには、ＰＣの電源をオンにし、画像整理ソフトを起動し、さらに画像整理ソフトを操作する作業が必要である。画像整理ソフトも多種多様であり、それぞれに用意されている固有の操作が必要であり、ユーザは、個別にこれらの操作を記憶又は習熟する必要がある。
【０００５】
これに対し、撮像装置内の記録メディアを差し込み、ボタン操作一つで、記録メディア内の全撮影画像を内蔵記憶装置の所定のフォルダにコピーする機器が知られている。このような機器は、例えば、デジタルスチルカメラの撮影画像をプリントサービスする店舗等に設置されている。また、機器認証情報を用いて撮影画像を転送することも知られている（特許文献１参照）。
【発明の概要】
【発明が解決しようとする課題】
【０００６】
記録メディア内にある全撮影画像を別の記録媒体にコピーする従来例では、操作者又は記録メディアの所有者が意図していない撮影画像までコピーされてしまい、プライバシーやセキュリティ上の問題を招きかねない。例えば、家族間で一台のカメラを使っているときに、撮影者が異なる画像であったとしても、全撮影画像を自動的に外部ストレージ機器にコピーしてしまうのは好ましくない。
【０００７】
本発明は、以上のような状況に鑑み、ユーザの意図する撮影画像のみを簡単且つよりセキュアーに転送できる撮像装置、外部ストレージ装置、画像転送システム、これらの制御方法及びプログラム、並びに記録媒体を提示することを目的とする。
【課題を解決するための手段】
【０００８】
本発明に係る撮像装置は、被写体を撮像し、前記被写体を含む撮影画像データを生成する撮像部と、前記撮影画像の撮影者を示す撮影者識別情報を入力する手段と、前記撮影画像データ及び前記撮影者識別情報を互いに関連付けて記憶する記憶手段と、外部ストレージ装置と通信する通信手段と、前記外部ストレージ装置からの識別情報と送信要求に応じて、前記識別情報と合致する前記撮影者識別情報が関連する前記撮影画像データを抽出し、前記通信手段を介して前記外部ストレージ装置に送信する制御手段とを具備することを特徴とする。
【０００９】
本発明に係る外部ストレージ装置は、撮影画像に撮影者を示す撮影者識別情報を関連付けて記録する撮像装置から、特定の撮影者識別情報が関連付けられた撮影画像を読み込み、記録する外部ストレージ装置であって、識別情報を入力する手段と、入力された前記識別情報と送信要求を前記撮像装置に送信する手段と、前記送信要求に応じて前記撮像装置から送信された前記撮影画像を記録媒体に記録する記録手段とを有することを特徴とする。
【００１０】
本発明に係る画像転送システムは、撮像装置と、前記撮像装置からの撮影画像を記録する外部ストレージ装置とからなる画像転送システムであって、前記撮像装置が、被写体を撮像し、前記被写体を含む撮影画像データを生成する撮像部と、前記撮影画像の撮影者を示す撮影者識別情報を入力する手段と、前記撮影画像データ及び前記撮影者識別情報を互いに関連付けて記憶する記憶手段と、前記外部ストレージ装置と通信する通信手段と、前記外部ストレージ装置からの識別情報と送信要求に応じて、前記識別情報と合致する前記撮影者識別情報が関連する前記撮影画像データを抽出し、前記通信手段を介して前記外部ストレージ装置に送信する制御手段とを有し、前記外部ストレージ装置が、識別情報を入力する手段と、入力された前記識別情報と前記送信要求を前記撮像装置に送信する手段と、前記送信要求に応じて前記撮像装置から送信された前記撮影画像を記録媒体に記録する記録手段とを有することを特徴とする。
【００１１】
本発明に係る画像転送方法は、撮像装置から外部ストレージ装置に撮影画像を転送する画像転送方法であって、前記撮像装置において、被写体を撮像させ、前記被写体を含む撮影画像データを生成するステップと、前記撮像装置において、前記撮影画像の撮影者を示す撮影者識別情報を入力するステップと、前記撮像装置において、前記撮影画像データ及び前記撮影者識別情報を互いに関連付けて記憶するステップと、前記外部ストレージ装置において、識別情報を入力するステップと、前記外部ストレージ装置において、前記ステップで入力される前記識別情報と送信要求を前記撮像装置に送信するステップと、前記撮像装置において、前記外部ストレージ装置からの前記識別情報と前記送信要求を受信するステップと、前記撮像装置において、前記送信要求に応じて、前記識別情報と合致する前記撮影者識別情報が関連する前記撮影画像データを抽出し、前記外部ストレージ装置に送信するステップと、前記外部ストレージ装置において、前記撮像装置から送信された前記撮影画像を記録媒体に記録するステップとを有することを特徴とする。
【００１２】
本発明に係る撮像装置の制御プログラムは、撮像装置に、被写体を撮像させ、前記被写体を含む撮影画像データを生成させる機能と、撮像装置に、前記撮影画像の撮影者を示す撮影者識別情報を入力させる機能と、撮像装置に、前記撮影画像データ及び前記撮影者識別情報を互いに関連付けて記憶させる機能と、撮像装置に、外部ストレージ装置からの識別情報と送信要求に応じて、前記識別情報と合致する前記撮影者識別情報が関連する前記撮影画像データを抽出させ、前記外部ストレージ装置に送信させる機能とを実現することを特徴とする。
【００１３】
本発明に係る外部ストレージ装置の制御プログラムは、撮影画像に撮影者を示す撮影者識別情報を関連付けて記録する撮像装置から、特定の撮影者識別情報が関連付けられた撮影画像を読み込み、記録する外部ストレージ装置の制御プログラムであって、前記外部ストレージ装置に、識別情報を入力させる機能と、前記外部ストレージ装置に、入力された前記識別情報と送信要求を前記撮像装置に送信させる機能と、前記外部ストレージ装置に、前記送信要求に応じて前記撮像装置から送信された前記撮影画像を記録媒体に記録させる機能とを実現することを特徴とする。
【００１４】
本発明に係る画像転送制御プログラムは、撮像装置から外部ストレージ装置への撮影画像の転送を制御する画像転送制御プログラムであって、前記撮像装置に、被写体を撮像させ、前記被写体を含む撮影画像データを生成させる機能と、前記撮像装置に、前記撮影画像の撮影者を示す撮影者識別情報を入力させる機能と、前記撮像装置に、前記撮影画像データ及び前記撮影者識別情報を互いに関連付けて記憶させる機能と、前記外部ストレージ装置に、識別情報を入力させる機能と、前記外部ストレージ装置に、入力された前記識別情報と送信要求を前記撮像装置に送信させる機能と、前記撮像装置に、前記外部ストレージ装置からの前記識別情報と前記送信要求を受信させる機能と、前記撮像装置に、前記送信要求に応じて、前記識別情報と合致する前記撮影者識別情報が関連する前記撮影画像データを抽出させ、前記外部ストレージ装置に送信させる機能と、前記外部ストレージ装置に、前記撮像装置から送信された前記撮影画像を記録媒体に記録させる機能とを実現することを特徴とする。
【００１５】
本発明に係る記憶媒体には、上述したプログラムの何れかが読み出し可能に記憶される。
【発明の効果】
【００１６】
本発明により、撮影画像を整理する作業が従来よりも簡単な手順で行うことが可能となり、且つユーザの所望の画像のみを転送することが可能となる。
【図面の簡単な説明】
【００１７】
【図１】本発明の一実施例の概略構成ブロック図である。
【図２】外部ストレージ装置の動作フローチャートである。
【図３】撮像装置の動作フローチャートである。
【発明を実施するための形態】
【００１８】
以下、図面を参照して、本発明の実施例を詳細に説明する。
【実施例１】
【００１９】
図１は、本発明の一実施例の画像転送システムの概略構成ブロック図を示す。本実施例の画像転送システムは、通信媒体を介して相互に接続する撮像装置１０と外部ストレージ装置５０からなる。外部ストレージ装置５０は、現実的にはＰＣからなる。撮像装置１０は、通信媒体を介して外部ストレージ装置５０に画像データを転送できる。
【００２０】
撮像装置１０の構成と基本機能を説明する。撮像を指示するレリーズボタン１２の、撮影者の指が置かれるトップ面に指紋センサ１４を組み込んである。レリーズボタン１２は、撮影者の押下操作に応じて、撮像の指示を示すレリーズ信号をシステム制御装置１６に供給する。指紋センサ１４は、レリーズボタン１２からシステム制御装置１６へのレリーズ信号に応じて指紋を検出し、指紋データをシステム制御装置１６に供給する。
【００２１】
撮影レンズ１８は、被写体の光学像を撮像素子２０に入射する。撮像モード（記録モード）では、システム制御装置１６は、レリーズボタン１２からのレリーズ信号に従い、撮像素子２０に光学像の画像信号への変換を指示し、撮像素子２０は、撮影レンズ１８による光学像を画像信号に変換する。Ａ／Ｄ変換器２２は、撮像素子２０から出力されるアナログ画像信号をデジタル信号に変換し、カメラ信号処理装置２４は、Ａ／Ｄ変換器２２からの画像データにホワイトバランス調整やガンマ補正などの周知のカメラ信号処理を施す。カメラ信号処理装置２４は、処理後の画像データをシステム制御装置１６に供給する。撮影レンズ１８、撮像素子２０、Ａ／Ｄ変換器２２及びカメラ信号処理装置２４からなる部分は、被写体を示す撮影画像データを生成する撮像部として機能する。
【００２２】
システム制御装置１６は、カメラ信号処理装置２４からの画像データを符号化復号化装置２６に供給して、記録用に圧縮符号化させる。符号化復号化装置２６は、圧縮符号化で得られた圧縮画像データをシステム制御装置１６に返信する。システム制御装置１６は、符号化復号化装置２６からの圧縮画像データを、記録媒体インターフェース２８を介して記録媒体３０に画像ファイルとして記録する。他方、システム制御装置１６の特徴抽出機能１６ａは、指紋センサ１４からの指紋データから指紋の特徴を抽出し、抽出した指紋特徴データと、記録媒体３０に記録した画像ファイルのファイル名とを関連付けて、不揮発性メモリ３２に記録する。指紋特徴データは撮影者を特定する撮影者識別情報である。撮影者識別情報としては、指紋画像データそのものであってもよい。または、別途、ニックネーム等のユーザ名、又はユーザ名とパスワードの組み合わせを、撮影者識別情報として、撮影画像と関連付けてもよい。その場合、予め、ニックネーム等のユーザ名、又はユーザ名とパスワードの組み合わせと、指紋特徴データとを関連付けておくと、指紋センサ１４を有効に活用できる。
【００２３】
記録媒体３０上で、指紋特徴データを圧縮画像データの属性データとして圧縮画像データに埋め込んだり、また、関連ファイルとして記録しても良い。読み取った指紋画像を撮影画像のサムネイル情報として記録することで、既存の画像記録形式への修正が少なくて済む。ただし、個人識別情報が外部に漏えいする可能性があり、セキュリティ上、好ましくない。
【００２４】
システム制御装置１６は、通信装置３４を介して外部ストレージ装置５０と通信し、記録媒体３０に記録される画像データを外部ストレージ装置５０に転送できる。この機能の詳細は後述する。通信装置３４は、例えば、無線ＬＡＮ、赤外線通信又は近距離無線通信等の無線通信に限らず、ＩＥＥＥ１３９４、ＵＳＢ又は有線ＬＡＮ等の有線通信を利用する。
【００２５】
ユーザは、操作装置３６を使ってシステム制御装置１６に種々の指示を入力できる。操作装置３６は、例えば、動作モードを選択するモード選択スイッチや、汎用的な指示キー及び決定キーを具備する。電源３８は、撮像装置１０の各部に必要な電力を供給し、システム制御装置１６は、動作状態に応じて、電源３８のオン／オフと供給先を制御する。
【００２６】
撮像装置１０は、再生モードでは、記録媒体３０に記録される圧縮画像データを、符号化復号化装置２６を使って復号化できる。復号化で得られた再生画像は、図示しない表示装置に表示でき、図示しない映像出力端子から外部に出力できるが、本発明の特徴的な機能とは関係しないので、説明を省略する。
【００２７】
外部ストレージ装置５０の構成と基本機能を説明する。外部ストレージ装置５０は実際には、ＰＣ等で実現される。システム制御装置５２が外部ストレージ装置５０を統括的に制御する。システム制御装置５２は、所定の処理手順又は操作手順に従い、もしくは、有線媒体を介して、通信装置５４を撮像装置１０の通信装置３４と接続する。これにより、撮像装置１０と外部ストレージ装置５０は互いに通信可能になり、撮像装置１０から外部ストレージ装置５０に、一定の条件に合致する画像データを転送できるようになる。
【００２８】
画像取得をシステム制御装置５２に指示する画像取得スイッチ５６には、撮像装置１０のレリーズボタン１２と同様の構成で、ユーザの指が置かれるトップ面に指紋センサ５８を組み込んである。画像取得スイッチ５６は、ユーザの押下操作に応じて、画像取得又は画像転送の指示を示す画像取得指示信号をシステム制御装置５２に供給する。指紋センサ５８は、画像取得スイッチ５６からシステム制御装置５２への画像取得指示信号に応じて指紋を検出し、指紋データをシステム制御装置５２に供給する。
【００２９】
システム制御装置５２は、撮像装置１０から受信した画像データを、記録媒体インターフェース６０を介して記録媒体６２に記録する。記録媒体６２は、ハードディスク装置、光ディスク又は半導体メモリ等からなる。
【００３０】
タイマ６４は、現在の日時情報をシステム制御装置５２に供給する。システム制御装置５２は、タイマ６４からの日時情報を使って、経過時間を計算できる。電源６６は、外部ストレージ装置５０の各部に必要な電力を供給し、システム制御装置５２は、動作状態に応じて、電源６６のオン／オフと供給先を制御する。
【００３１】
不揮発性メモリ６８には、過去に外部ストレージ装置５０を使用し、指紋センサ５８で入力された指紋画像データが登録されている。図示しないキーボード等を併用し、当該指紋画像データの所有者のユーザ名と、撮像装置１０から転送される画像データを収容するフォルダ指定情報を登録しておく。フォルダ指定情報は、フォルダ名又はその命名規則とフォルダを置く位置の情報を含む。
【００３２】
図２及び図３に示すフローチャートを参照して、本実施例における画像転送動作を説明する。図２は外部ストレージ装置５０の動作フローチャートを示し、図３は撮像装置１０の動作フローチャートを示す。
【００３３】
外部ストレージ装置５０の利用者が画像取得スイッチ５６を押下すると（Ｓ１）、システム制御装置５２は、指紋センサ５８から当該利用者の指紋画像データを取り込む（Ｓ２）。システム制御装置５２は、取り込んだ指紋が不揮発性メモリ６８に登録されているか否かを調べる（Ｓ３）。不揮発性メモリ６８に登録されていなければ（Ｓ３）、不揮発性メモリ６８に指紋画像データを登録し、同時にユーザ名とフォルダ指定情報を登録する（Ｓ４）。
【００３４】
システム制御装置５２は、通信装置５４を介して、入力された指紋画像データを撮像装置１０に転送し（Ｓ５）、撮像装置１０からの返信を待つ（Ｓ６）。
【００３５】
撮像装置１０は、外部ストレージ装置５０からの指紋画像データを待機している（Ｓ２１）。外部ストレージ装置５０から指紋画像データを受信すると（Ｓ２１）、システム制御装置１６は、受信した指紋画像を検索キーとして、記録媒体３０の記録画像から指紋が合致する画像を検索する（Ｓ２２）。具体的には、システム制御装置１６は、受信した指紋画像を記録媒体３０に記録される各撮影画像に付加された指紋画像と比較する。画像パターンの比較ではなく、指紋から抽出された特徴の比較でもよい。
【００３６】
一つでも受信した指紋と一致する指紋の画像がある場合、認証は成功したことになり、１つの画像もなければ、認証は失敗したことになる。他に、受信した指紋画像が指紋の比較に不十分なサイズの場合にも、認証失敗になる。システム制御装置１６は、認証結果と、指紋が合致する画像数を外部ストレージ装置５０に通知する（Ｓ２３）。画像数を通知するだけでもよい。そして、転送画像数が０の場合には（Ｓ２４）、終了し、１以上の場合には（Ｓ２４）、外部ストレージ装置５０からの送信要求を待機する（Ｓ２５）。
【００３７】
外部ストレージ装置５０は、撮像装置１０からの認証成功の通知の受信を一定時間、待機している（Ｓ６，Ｓ７）。一定時間内に認証成功を受信しないと（Ｓ７）、図２に示すフローを終了する。
【００３８】
認証成功を受信しても（Ｓ６）、転送画像数がゼロの場合には（Ｓ８）。転送画像数が１以上の場合（Ｓ８）、指紋入力したユーザごとにフォルダ指定情報で指定される位置に、指定されたフォルダ名のフォルダを記録媒体６２に作成する（Ｓ９）。作成しようとするフォルダが既に存在する場合には、既存のフォルダを保存先に指定する。そして、システム制御装置５２は、送信要求を撮像装置１０に送信し（Ｓ１０）、画像データの受信を待機する（Ｓ１１）。
【００３９】
撮像装置１０は、外部ストレージ装置５０から送信要求を受信すると（Ｓ２５）、撮像装置１０は、指紋が合致する画像を通信装置３４から外部ストレージ装置５０に順次、転送する（Ｓ２６）。転送画像数分の画像転送を終了したら（Ｓ２７）、転送終了を外部ストレージ装置５０に通知して（Ｓ２８）、終了する。
【００４０】
外部ストレージ装置５０は、撮像装置１０から転送される各画像データを受信し（Ｓ１１）、ステップＳ９で記録媒体６２に作成したフォルダに格納する（Ｓ１３）。撮像装置１０からの画像データを受信すること無しに、一定時間を経過すると（Ｓ１２）、システム制御装置５２は、図２に示すフローを終了する。また、システム制御装置５２は、撮像装置１０から転送終了を通知されると（Ｓ１４）、図２に示すフローを終了する。
【００４１】
上記実施例では、外部ストレージ装置５０が受信した画像データを保存するフォルダの位置とフォルダ名をユーザごとに指定できるようにしたが、もちろんユーザに依存せず決定しても良い。例えば、記録媒体６２のルートに、転送日時を含むフォルダ名のフォルダを作成し、そこに、撮像装置１０から転送される画像データを格納する。
【００４２】
上記実施例は、指紋検出をユーザに意識させないとい利点があるが、本発明は、これに限定されない。例えば、撮像装置１０では、撮像装置１０を撮影者がつかんだときに指が接触する場所に指紋センサ１４を配置しても良い。また、外部ストレージ装置５０では、そもそも、画像取得スイッチ５６と指紋センサ５８を、操作上、支障のない範囲で離れて配置することができる。
【００４３】
なお、システム制御装置１６，５２の制御は１つのハードウェアが行ってもよいし、複数のハードウェアが処理を分担することで、装置全体の制御を行ってもよい。また、主要な機能をソフトウエアプログラムで実現することができ、例えば、撮像装置及び外部ストレージ装置の制御プログラムとして、また、画像転送制御プログラムとして実現されうる。
【００４４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４５】
また、上述した実施形態においては、本発明をデジタルカメラに適用した場合を例にして説明したが、これはこの例に限定されず、外部ストレージ装置に撮影者情報が付加された画像を転送する画像転送装置であれば適用可能である。すなわち、本発明は、パーソナルコンピュータやＰＤＡ、携帯電話端末や携帯型の画像ビューワ、プリンタ装置、デジタルフォトフレームなどでも画像転送をする機能がある装置であれば適用可能である。
【００４６】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2011109291.tif 000003
【図２】
2011109291.tif 000004
【図３】
2011109291.tif 000005